(57)【要約】      （修正有）【課題】安眠を誘う抱き枕として、抱き枕をド−ル型にし、就寝時に左側臥位の場合はド−ルの首の下に左腕を通し、左足はド−ルの右足の下に通してド−ルの左足に乗せ右足はド−ルの右足の上に乗せ、足を絡ませ、右腕でド−ルを抱えて就寝する。右側臥位の場合は上記に反転して就寝することにより睡眠導入的効果を提供する。【解決手段】ド−ル型抱き枕に、抱き枕本体のファスナ−部より、胴体部、頭部、脚部上肢、脚部下肢をマジックテ−プにより接続した内蔵クッションを、抱き枕本体の内部に挿入したド−ル型抱き枕の構造。抱き枕本体の内部に、クッション部分として、頭部６と、胴体部５とをマジックテ−プ９にて接続し、胴体部５と、脚部上肢７とをマジックテ−プ１０にて接続し、脚部上肢７と、脚部下肢８とをマジックテ−プ１１にて接続し、ファスナ−４より、抱き枕本体の内部に挿入した、ド−ル型抱き枕の構造。【選択図】図２
0003132204.tif 000002
【実用新案登録請求の範囲】
【請求項１】
本案はド−ル型抱き枕にして、１胴体部、２は頭部、３は脚部、４はクッション部を挿入するファスナ−である。
【考案の詳細な説明】
【技術分野】
【０００１】  本案は上記のごとくして、図１示すごとく、胴体部１、頭部２、脚部３、ファスナ−４よりなるド−ル型抱き枕の外側カバ−部と、図２示すごとく、内側部にクッションを内蔵し、内蔵胴体部クッション５、内蔵頭部クッション６、内蔵脚部上肢クッション７、内蔵脚部下肢クッション８、内蔵胴体部と頭部とを繋ぐマジックテ−プ９、内蔵胴体部と脚部、上肢を繋ぐマジックテ−プ１０、脚部上肢と脚部下肢を繋ぐマジックテ−プ１１にて接続し、ファスナ−４により、抱き枕本体の内部に挿入した、新規なる考案である。【０００２】  実用新案の性質、作用及び効果の要領
本案は以上の如くであるから、従来は通常の枕を長くした抱き枕や、ブ−メラン形や、動物形等の変形抱き枕はあるが、これらは睡眠時に体から離れ易く、すぐ仰臥位になる欠点があった。
本考案品は、ごく自然な添い寝形でしかも足を絡めた姿勢のため、熟睡時にも体から離れにくく、ド−ル型内の構造が頭部と胴体をマジックテ−プで連結してある首の凹みに腕が自然の形で通せ、胴体と脚部も同じくマジックテ−プで連結してあるので、適宜に変動適応し足も絡め易く、背骨と腰にも優しい抱き枕であり、ぎゅっと抱いて寝る姿勢が精神的に、物理的に睡眠を誘導し、自然睡眠導入形の抱き枕として大きな効果を提供出来るのである。
人類があお向けに寝るようになったため出現したイビキ、睡眠時無呼吸症候群による脳卒中、心筋梗塞、不眠、酸素不足による疲労等、諸病の大きな問題になっているのに当たりド−ル型抱き枕を抱え、頭部から胸にかけて隙間を埋めることにより体が安定し優良な睡眠を得られ、健康生活に大きな利点が得られるのである。
更に、胴体、頭部、脚部上肢、脚部下肢をマジックテ−プにより連結されているので梱包搬送時に長大な大きさを、マジックテ−プを剥がすことにより縮小梱包されて搬送出来、搬送費を低廉になしうる等、その益する所甚だ大である。
【図面の簡単な説明】
【０００３】
【図１】  抱き枕の外形図
【図２】  抱き枕の内蔵クッション部分図
【符号の説明】
【０００４】  １．      抱き枕の外形の胴体部
２．      抱き枕の外形の頭部
３．      抱き枕の外形の脚部
４．      抱き枕の外形のファスナ−
５．      抱き枕の内蔵胴体部クッション
６．      抱き枕の内蔵頭部クッション
７．      抱き枕の内蔵脚部上肢クッション
８．      抱き枕の内蔵脚部下肢クッション
９．      抱き枕の内蔵胴体部と頭部とを繋ぐマジックテ−プ
１０．      抱き枕の内蔵胴体部と脚部上肢を繋ぐマジックテ−プ
１１．      抱き枕の脚部上肢と脚部下肢を繋ぐマジックテ−プ
【図１】
0003132204.tif 000003
【図２】
0003132204.tif 000004
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
胴体部、頭部、脚部、クッション部を挿入するファスナー、内蔵胴体部クッション、内蔵頭部クッシッン、内蔵脚部上肢クッション、内蔵脚部下肢クッション、内蔵胴体部と頭部とを繋グ面ファスナー、内蔵胴体部と脚部上肢を繋ぐ面ファスナー、脚部上肢と脚部下肢を繋ぐ面ファスナーよりなるドール型抱き枕。
【手続補正２】
【補正対象書類名】明細書
【補正対象項目名】全文
【補正方法】変更
【補正の内容】
【考案の詳細な説明】
【技術分野】
【０００１】本案は上記のごとくして、第１図に示すごとく、胴体部１、頭部２、脚部３、ファスナー４よりなるドール型抱き枕の外側カバー部と、図２示すごとく、内側部にクッションを内蔵し、内蔵胴体部クッション５、内蔵頭部クッション６、内蔵脚部上肢クッション７、内蔵脚部下肢クッション８、内蔵胴体部と頭部とを繋ぐ面ファスナー９、内蔵胴体部と脚部上肢を繋ぐ面ファスナー１０、脚部上肢と脚部下肢を繋ぐ面ファスナー１１にて接続し、ファスナー４により、抱き枕本体の内部に挿入したドール型抱き枕の考案である。【０００２】実用新案の性質、作用及び効果の要領  本案は以上の如くであるから、従来は通常の枕を長くした抱き枕や、ブーメラン形や、動物形等の変形抱き枕はあるが、これらは睡眠時に体から離れ易く、すぐ仰臥位になる欠点があった。
本考案品は、ごく自然な添い寝形でしかも足を絡めた姿勢のため、熟睡時にも体から離れにくく、ドール型内の構造が頭部と胴体を面ファスナーで連結してある首の凹みに腕が自然の形で通せ、胴体と脚部も同じく面ファスナーで連結してあるので、適宜に変動適応し足も絡め易く、背骨と腰にも優しい抱き枕であり、ぎゅっと抱いて寝る姿勢が精神的に、物理的に睡眠を誘導し、自然睡眠導入型の抱き枕として大きな効果を提供出来るのである。
人類があお向けに寝るようになったため出現したイビキ、睡眠時無呼吸症候群による脳卒中、心筋梗塞、不眠、酸素不足による疲労等、諸病の大きな問題になっているのに当たりドール型抱き枕を抱え、頭部から胸にかけて隙間を埋めることにより体が安定し優良な睡眠を得られ、健康生活に大きな利点が得られるのである。
更に、胴体、頭部、脚部上肢、脚部下肢を面ファスナーにより連結されているので梱包搬送時に長大な大きさを、面ファスナーを剥がすことにより縮小梱包されて搬送出来、搬送費を低廉になしうる等、その益する所甚だ大である。
【図面の簡単な説明】
【０００３】
【図１】抱き枕の外形図
【図２】抱き枕の内蔵クッション部分図
【符号の説明】
【０００４】  １．      抱き枕の外形の胴体部
２．      抱き枕の外形の頭部
３．      抱き枕の外形の脚部
４．      抱き枕の外形のファスナー
５．      抱き枕の内蔵胴体部クッション
６．      抱き枕の内蔵頭部クッション
７．      抱き枕の内蔵脚部上肢クッション
８．      抱き枕の内蔵脚部下肢クッション
９．      抱き枕の内蔵胴体部と頭部を繋ぐ面ファスナー
１０．      抱き枕の内蔵胴体部と脚部上肢を繋ぐ面ファスナー
１１．      抱き枕の脚部上肢と脚部下肢を繋ぐ面ファスナー
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
胴体部クッションと頭部クッションを面ファスナーにより繋ぎ、胴体部クッションと脚部上肢クッションを面ファスナーにより繋ぎ、脚部上肢クッショションと脚部下肢クッションを面ファスナーにより繋ぎ、ドール型抱き枕の外側カバー部のファスナーより挿入してなるドール型抱き枕。
【手続補正２】
【補正対象書類名】明細書
【補正対象項目名】全文
【補正方法】変更
【補正の内容】
【考案の詳細な説明】
【技術分野】
【０００１】本案は上記のごとくして、第１図に示すごとく、胴体部１、頭部２、脚部３、ファスナー４よりなるドール型抱き枕の外側カバー部と、図２示すごとく、内側部にクッションを内蔵し、内蔵胴体部クッション５、内蔵頭部クッション６、内蔵脚部上肢クッション７、内蔵脚部下肢クッション８、内蔵胴体部と頭部とを繋ぐ面ファスナー９、内蔵胴体部と脚部上肢を繋ぐ面ファスナー１０、脚部上肢と脚部下肢を繋ぐ面ファスナー１１にて接続し、ファスナー４により、抱き枕本体の内部に挿入したドール型抱き枕の考案である。【０００２】実用新案の性質、作用及び効果の要領  本案は以上の如くであるから、従来は通常の枕を長くした抱き枕や、ブーメラン形や、動物形等の変形抱き枕はあるが、これらは睡眠時に体から離れ易く、すぐ仰臥位になる欠点があった。
本考案品は、ごく自然な添い寝形でしかも足を絡めた姿勢のため、熟睡時にも体から離れにくく、ドール型内の構造が頭部と胴体を面ファスナーで連結してある首の凹みに腕が自然の形で通せ、胴体と脚部も同じく面ファスナーで連結してあるので、適宜に変動適応し足も絡め易く、背骨と腰にも優しい抱き枕であり、ぎゅっと抱いて寝る姿勢が精神的に、物理的に睡眠を誘導し、自然睡眠導入型の抱き枕として大きな効果を提供出来るのである。
人類があお向けに寝るようになったため出現したイビキ、睡眠時無呼吸症候群による脳卒中、心筋梗塞、不眠、酸素不足による疲労等、諸病の大きな問題になっているのに当たりドール型抱き枕を抱え、頭部から胸にかけて隙間を埋めることにより体が安定し優良な睡眠を得られ、健康生活に大きな利点が得られるのである。
更に、胴体、頭部、脚部上肢、脚部下肢を面ファスナーにより連結されているので梱包搬送時に長大な大きさを、面ファスナーを剥がすことにより縮小梱包されて搬送出来、搬送費を低廉になしうる等、その益する所甚だ大である。
【図面の簡単な説明】
【０００３】
【図１】  抱き枕の外形図
【図２】  抱き枕の内蔵クッション部分図
【符号の説明】
【０００４】  １．      抱き枕の外形の胴体部
２．      抱き枕の外形の頭部
３．      抱き枕の外形の脚部
４．      抱き枕の外形のファスナー
５．      抱き枕の内蔵胴体部クッション
６．      抱き枕の内蔵頭部クッション
７．      抱き枕の内蔵脚部上肢クッション
８．      抱き枕の内蔵脚部下肢クッション
９．      抱き枕の内蔵胴体部と頭部を繋ぐ面ファスナー
１０．      抱き枕の内蔵胴体部と脚部上肢を繋ぐ面ファスナー
１１．      抱き枕の脚部上肢と脚部下肢を繋ぐ面ファスナー